(57)【要約】【課題】規格外のケーブルを用いた場合でも複雑な回路を要することなく安定した通信を行うこと。【解決手段】信号減衰量決定部がユーザによって入力されたケーブル及びパソコンの種類に応じて信号の信号減衰量を決定し、その信号減衰量が基準減衰量以上である場合、電源ＩＣは制御ＩＣに供給する電圧を低くする。信号減衰量が基準減衰量以上であるために、リミット線３１及び３２が本来のレベルであると信号がリミット線３１又は３２にかかってしまうような場合であっても、制御ＩＣの電源電圧が低くなることとによって、リミット線３１及び３２のレベルが下がるため、信号がリミット線３１及び３２にかからなくなり、信号減衰量が基準減衰量以上であっても正常に通信を行える。【選択図】図６
2010258501.tif 000002
【特許請求の範囲】
【請求項１】
通信回線を介して自装置と外部装置の間でデータの送受信を行う通信制御手段と、
前記通信制御手段に駆動電圧を供給する供給手段と、
前記自装置と前記外部装置の接続情報を受け付ける入力受付手段と、
前記接続情報の種類に対応した信号減衰量を記憶する記憶手段と、
前記入力受付手段が入力を受け付けた接続情報に基づいて、前記記憶手段から対応する信号減衰量を読み出して前記自装置と前記外部装置の間の信号減衰量を決定する決定手段と、
を備え、前記決定手段が決定した信号減衰量が予め定められた基準減衰量より低いとき、前記供給手段は、予め定められた基準電圧を前記通信制御手段に供給し、前記信号減衰量が前記基準減衰量以上であるとき、前記供給手段は、前記基準電圧より低い予め定められた値の電圧を前記通信制御手段に供給する通信制御装置。
【請求項２】
通信回線を介して自装置と外部装置の間でデータの送受信を行う通信制御手段と、
前記通信制御手段に駆動電圧を供給する供給手段と、
前記自装置と前記外部装置の接続情報を受け付ける入力受付手段と、
前記接続情報の種類に対応した信号減衰量を記憶する記憶手段と、
前記入力受付手段が入力を受け付けた接続情報に基づいて、前記記憶手段から対応する信号減衰量を読み出して前記自装置と前記外部装置の間の信号減衰量を決定する決定手段と、
を備え、前記決定手段が決定した信号減衰量が予め定められた基準減衰量より低いとき、前記供給手段は、予め定められた基準電圧を前記通信制御手段に供給し、前記信号減衰量が前記基準減衰量以上であるとき、前記供給手段は、前記基準電圧より低い予め定められた値の電圧を前記通信制御手段に供給する画像形成装置。
【請求項３】
表示手段を表示制御する表示制御手段と、
を更に備え、前記記憶手段は、前記通信回線の種類に対応した信号減衰量及び前記外部装置の種類に対応した信号減衰量をそれぞれ記憶するものであり、前記表示制御手段は、前記通信回線の種類及び前記外部装置の種類を前記表示手段に表示させるものであり、前記入力受付手段は、前記表示された通信回線及び外部装置の種類から何れかの選択入力を受け付けるものであり、前記決定手段は、前記入力受付手段が入力を受け付けた前記通信回線に対応する信号減衰量及び前記外部装置に対応する信号減衰量を前記記憶手段から読み出して、前記自装置と前記外部装置の間の信号減衰量を決定するものである請求項２に記載の画像形成装置。
【発明の詳細な説明】
【技術分野】
【０００１】
本発明は、通信回線を介して外部装置と接続可能な通信制御装置及び画像形成装置に関するものであり、特に、通信回線の信号減衰量によらず安定した通信を行う通信制御装置及び画像形成装置に関するものである。
【背景技術】
【０００２】
近年、ＵＳＢ（Universal Serial Bus）ポートを備えた画像形成装置やパーソナルコンピュータ（以下、「パソコン」という）等が多く、これらの装置間でデータ通信を行う場合、ＵＳＢ規格に対応したケーブルを互いのＵＳＢポートに接続して行うことができる。ＵＳＢ規格の条件を満たしているケーブルを用いた場合、画像形成装置とパソコンの間で正常に通信が行えることは勿論だが、ＵＳＢ規格の条件を満たしていないケーブルを用いた場合、正常に通信が行えないことがある。しかし、条件を満たしていないケーブルを用いたときの通信エラーは画像形成装置側に問題があるわけではないので、特に問題ではなかった。
【０００３】
しかしながら、あるケーブルを他社の画像形成装置とパソコンの接続に用いたとき、正常に通信が行えていたが、その同じケーブルを自社の画像形成装置とパソコンの接続に用いたところ、正常に通信が行えない事態が発生すると、たとえそのケーブルがＵＳＢ規格の条件を満たしていないものであっても、ユーザに対する自社の画像形成装置の印象が悪くなってしまう。従ってユーザを満足させるために、装置側はＵＳＢ規格を多少満たしていないケーブルであっても正常に通信が行えるようにする必要があり、工夫を凝らしている。
【０００４】
特許文献１には、プリンタはデータの受信部の回路を切り替える切替回路を備え、受信レベルに関する所定の仕様を満たさない場合、受信できるレベルを選択的に切り替える方法について記載されている。また、特許文献２には、電圧の信号減衰量からケーブル長を算出し、出力レベルを調整する方法について記載されている。
【先行技術文献】
【特許文献】
【０００５】
【特許文献１】特開２００１−０３８９８８号公報
【特許文献２】特開２００３−２６４４６９号公報
【発明の概要】
【発明が解決しようとする課題】
【０００６】
しかしながら、特許文献１に記載されている発明の場合、受信レベルを切り替えるために多くの回路や電子部品が必要であり、回路の複雑化、コストアップに繋がっていた。また、特許文献２に記載されている発明の場合、パソコン等の送信側の機器に出力レベルを調整する機能が必要であり、画像形成装置側では解決できない内容であった。
【０００７】
本発明は、上記の問題を解決するためになされたもので、規格外のケーブルを用いた場合でも複雑な回路を要することなく安定した通信が行える通信制御装置及び画像形成装置を提供することを目的とするものである。
【課題を解決するための手段】
【０００８】
請求項１に記載の発明の通信制御装置は、通信回線を介して自装置と外部装置の間でデータの送受信を行う通信制御手段と、前記通信制御手段に駆動電圧を供給する供給手段と、前記自装置と前記外部装置の接続情報を受け付ける入力受付手段と、前記接続情報の種類に対応した信号減衰量を記憶する記憶手段と、前記入力受付手段が入力を受け付けた接続情報に基づいて、前記記憶手段から対応する信号減衰量を読み出して前記自装置と前記外部装置の間の信号減衰量を決定する決定手段と、を備え、前記決定手段が決定した信号減衰量が予め定められた基準減衰量より低いとき、前記供給手段は、予め定められた基準電圧を前記通信制御手段に供給し、前記信号減衰量が前記基準減衰量以上であるとき、前記供給手段は、前記基準電圧より低い予め定められた値の電圧を前記通信制御手段に供給する。
【０００９】
従来、例えば規格外の通信回線を用いたところ、信号減衰量が基準減衰量以上であるために、通信の可否を決定するリミット線が本来のレベルであると通信信号がリミット線にかかってしまい、正常な通信ができなかった。しかし、この構成によれば、信号減衰量が基準減衰量以上である場合は、通信制御手段に予め定められた値の電圧（コア電圧）より低い電圧を供給して、リミット線のレベルを下げることにより、通信信号がリミット線にかかりにくくなり、信号減衰量が基準減衰量以上であっても正常に通信を行える可能性が高くなる。つまり、通信回線として規格を満たした回線又は規格外の品質の悪い回線の何れを用いても、通信を行うことができる。
【００１０】
請求項２に記載の発明の画像形成装置は、通信回線を介して自装置と外部装置の間でデータの送受信を行う通信制御手段と、前記通信制御手段に駆動電圧を供給する供給手段と、前記自装置と前記外部装置の接続情報を受け付ける入力受付手段と、前記接続情報の種類に対応した信号減衰量を記憶する記憶手段と、前記入力受付手段が入力を受け付けた接続情報に基づいて、前記記憶手段から対応する信号減衰量を読み出して前記自装置と前記外部装置の間の信号減衰量を決定する決定手段と、を備え、前記決定手段が決定した信号減衰量が予め定められた基準減衰量より低いとき、前記供給手段は、予め定められた基準電圧を前記通信制御手段に供給し、前記信号減衰量が前記基準減衰量以上であるとき、前記供給手段は、前記基準電圧より低い予め定められた値の電圧を前記通信制御手段に供給する。
【００１１】
従来、例えば規格外の通信回線を用いたところ、信号減衰量が基準減衰量以上であるために、通信の可否を決定するリミット線が本来のレベルであると通信信号がリミット線にかかってしまい、正常な通信ができなかった。しかし、この構成によれば、信号減衰量が基準減衰量以上である場合は、通信制御手段に予め定められた値の電圧（コア電圧）より低い電圧を供給して、リミット線のレベルを下げることにより、通信信号がリミット線にかかりにくくなり、信号減衰量が基準減衰量以上であっても正常に通信を行える可能性が高くなる。つまり、通信回線として規格を満たした回線又は規格外の品質の悪い回線の何れを用いても、通信を行うことができる。
【００１２】
請求項３に記載の発明は、請求項２に記載の画像形成装置であって、表示手段を表示制御する表示制御手段と、を更に備え、前記記憶手段は、前記通信回線の種類に対応した信号減衰量及び前記外部装置の種類に対応した信号減衰量をそれぞれ記憶するものであり、前記表示制御手段は、前記通信回線の種類及び前記外部装置の種類を前記表示手段に表示させるものであり、前記入力受付手段は、前記表示された通信回線及び外部装置の種類から何れかの選択入力を受け付けるものであり、前記決定手段は、前記入力受付手段が入力を受け付けた前記通信回線に対応する信号減衰量及び前記外部装置に対応する信号減衰量を前記記憶手段から読み出して、前記自装置と前記外部装置の間の信号減衰量を決定するものである。
【００１３】
この構成によれば、ユーザは表示手段の表示を見ながら簡単に通信回線及び外部装置の種類を入力することができ、画像形成装置はユーザからの入力を受けて、画像形成装置と外部装置の間の信号減衰量を簡単に把握することができる。
【発明の効果】
【００１４】
この発明によれば、信号減衰量が基準減衰量以上である場合は、通信制御手段に予め定められた基準値の電圧（コア電圧）より低い電圧を供給して、リミット線のレベルを下げることにより、通信信号がリミット線にかかりにくくなり、信号減衰量が基準減衰量以上であっても正常に通信を行える可能性が高くなる。つまり、通信回線として規格を満たした回線又は規格外の品質の悪い回線の何れを用いても、通信を行うことができる。
【図面の簡単な説明】
【００１５】
【図１】画像形成装置とパソコンの接続図。
【図２】画像形成装置の電気的構成を示す機能ブロック図。
【図３】表示パネルに表示される接続情報入力画面の一例を示した図。
【図４】減衰量記憶部に記憶されるケーブル信号減衰量データテーブルとパソコン信号減衰量データテーブルのデータ構成の一例を示した図。
【図５】制御ＩＣに１．２［Ｖ］の電圧を供給しているときの信号波形とリミット線を示した図。
【図６】制御ＩＣに１．１［Ｖ］の電圧を供給しているときの信号波形とリミット線を示した図。
【図７】制御ＩＣへの供給電圧の決定までの流れを示したフローチャート。
【発明を実施するための形態】
【００１６】
以下、図面に基づいて本発明の実施形態を説明する。尚、本実施の形態では、画像形成装置を例に挙げて説明するが、通信制御装置を備えた電子機器にも適用可能である。
【００１７】
図１は、本実施の形態における画像形成装置１とパソコン９がケーブルＣで接続されたときの図である。ケーブルＣは、例えばＵＳＢ規格に対応した通信回線であり、画像形成装置１とパソコン９を電気的に接続している。パソコン９は、ユーザの入力操作に応じて各種データをケーブルＣを介して画像形成装置１に送信する。画像形成装置１はパソコン９から送信されたデータに応じて印刷等を行う。尚、ケーブルＣは、コンピュータと周辺機器を接続するために統一されたバス規格のものであれば、ＵＳＢ規格以外のものであってもよい。
【００１８】
図２は、画像形成装置１の電気的構成を示す機能ブロック図である。画像形成装置１は、制御部１１、記憶部１２、原稿読取部１３、画像メモリ１４、画像処理部１５、画像形成部１６、入力操作部１７及びネットワークＩ／Ｆ部１８を備えて構成されている。
【００１９】
記憶部１２は、画像形成装置１の備える種々の機能を実現するためのプログラムやデータ等を記憶し、減衰量記憶部１２１として機能する。減衰量記憶部１２１は、ケーブルのメーカー別及び長さ別の信号減衰量とパソコンのメーカー別及び機種別の信号減衰量をそれぞれ記憶する。
【００２０】
図４は、減衰量記憶部１２１に記憶されるケーブル信号減衰量データテーブル１２１ａとパソコン信号減衰量データテーブル１２１ｂのデータ構成の一例を示した図である。ケーブル信号減衰量データテーブル１２１ａは、メーカー別及び長さ別にそれぞれ信号減衰量を記憶する。また、パソコン信号減衰量データテーブル１２１ｂは、パソコンのメーカー別及び機種別にそれぞれ信号減衰量を記憶する。ケーブル信号減衰量データテーブル１２１ａ及びパソコン信号減衰量データテーブル１２１ｂのデータは、画像形成装置１の工場出荷時に予め記憶部１２に記憶されてもよいし、画像形成装置１の稼働後にデータを追加登録できるようにしてもよい。
【００２１】
制御部１１は、ＣＰＵ（Central Processing Unit：中央処理装置）等によって構成され、入力された指示信号等に応じて記憶部１２に記憶されたプログラムを読み出して処理を実行し、各機能部への指示信号の出力、後述する表示パネル１７１に対して画像や文字等の表示信号を出力する表示制御、データ転送等を行って画像形成装置１を統括的に制御するものである。また、制御部１１は、信号減衰量決定部１１１を有する。
【００２２】
信号減衰量決定部１１１は、表示パネル１７１に表示された接続情報入力画面を介してユーザが選択入力したケーブルＣ及びパソコン９の種類を取り込み、そのケーブルＣ及びパソコン９の種類に基づいて減衰量記憶部１２１から信号減衰量を読み出して、画像形成装置１とパソコン９の間の信号減衰量を決定する。
【００２３】
図３は、表示パネル１７１に表示される接続情報入力画面２の一例を示した図である。ユーザが入力操作部１７のハードキー又は表示パネル１７１に表示された設定ボタン等を押下すると、制御部１１は、接続情報入力画面２を表示パネル１７１に表示させる。ケーブル情報及びパソコン情報は、接続ポート毎に設定でき、ユーザが接続情報入力画面２内のプルダウンボタン２２を押下すると、制御部１１は、予め登録されているケーブルのメーカー別及び長さ別のリストをプルダウンメニュー２１に表示させる。同様に、パソコンに対応するプルダウンボタンを押下すると、制御部１１は、予め登録されているパソコンのメーカー別及び機種別のリストをプルダウンメニューに表示させる。
【００２４】
ユーザは、これらのプルダウンメニューに表示されたリストの中から該当するケーブルＣ及びパソコン９の種類を選択し、ＯＫボタン２３を押下する。これにより、信号減衰量決定部１１１は、接続情報入力画面２を介して選択されたケーブルＣとパソコン９の種類に対応した信号減衰量をケーブル信号減衰量データテーブル１２１ａ及びパソコン信号減衰量データテーブル１２１ｂからそれぞれ読み出し、読み出した信号減衰量を用いて画像形成装置１とパソコン９の間の信号減衰量を決定する。
【００２５】
例えば、ユーザが接続情報画面２でケーブルＣの種類としてメーカーＡ、長さ３ｍを選択した場合、信号減衰量決定部１１１は、ケーブル信号減衰量データテーブル１２１ａからメーカーＡ、長さ３ｍの種類に対応した減衰量＝Ｘ２というデータを読み出す。同様に、ユーザがパソコン９の種類としてメーカーＱ、機種Ｑ１を選択した場合、信号減衰量決定部１１１は、パソコン信号減衰量データテーブル１２１ｂからメーカーＱ、機種Ｑ１の種類に対応した減衰量＝Ｗ１というデータを読み出す。そして、読み出した減衰量を用いて画像形成装置１とパソコン９の間の信号減衰量を決定する。
【００２６】
原稿読取部１３は、ＣＣＤ（Charge Coupled Device）やＣＭＯＳ（Complementary Metal Oxide Semiconductor）等のイメージセンサを用いて原稿の画像を光学的に読み取り、画像データを生成する。画像メモリ１４は、原稿読取部１３から出力された画像データやネットワークＩ／Ｆ部１８を介してパソコン９から送信された画像データを一時的に記憶する。画像処理部１５は、画像メモリ１４に記憶されている画像データに対して画像補正や拡大・縮小等の画像処理を施す。画像形成部１６は、画像メモリ１４に記憶されている画像データに応じて用紙に画像を形成する。
【００２７】
入力操作部１７は、ユーザが操作画面や各種メッセージ等を視認することができる表示パネル１７１、電源キー、印刷枚数等を入力するテンキー、原稿の読み取り開始を指示するスタートボタン等の種々の操作命令を入力するための操作ボタンを有する。表示パネル１７１は、ＬＣＤ（Liquid Crystal Display）やＥＬＤ（Electronic Luminescent Display）等によって構成され、紙サイズ選択、倍率選択、濃度選択等のユーザに対する操作案内画面や接続情報入力画面２が表示される。この表示パネル１７１は、タッチパネル機能を有する。タッチパネルは、ユーザによるタッチ操作がなされたときにそのタッチ位置を検出し、タッチ位置を示す検出信号を制御部１１へ出力する。
【００２８】
ネットワークＩ／Ｆ部１８は、ＬＡＮ（Local Area Network）ボード等の通信モジュールから構成され、ケーブルＣを介して接続されたパソコン９と種々のデータの送受信を行う。また、ネットワークＩ／Ｆ部１８は、制御ＩＣ１８１と電源ＩＣ１８２を有する。
【００２９】
制御ＩＣ１８１は、ネットワークＩ／Ｆ部１８の構成要素を制御して、パソコン９との通信制御を司るものである。電源ＩＣ１８２は、制御ＩＣ１８１に電源電圧を供給するものである。また、電源ＩＣ１８２は、少なくとも２種類の電圧値を出力することができ、信号減衰量決定部１１１によって決定された信号減衰量に応じて、制御ＩＣ１８１に供給する電圧値を切り替える。例えば、制御ＩＣ１８１のコア電圧が１．２［Ｖ］である場合、電源ＩＣ１８２は、制御ＩＣ１８１のコア電圧である１．２［Ｖ］とそのコア電圧より若干低い１．１［Ｖ］の２種類の電圧を切り替えて出力する。そして、信号減衰量決定部１１１によって決定された信号減衰量が予め設定された基準減衰量より低い場合、電源ＩＣ１８２は１．２［Ｖ］の電圧を制御ＩＣ１８１に供給し、信号減衰量が基準減衰量以上の場合、電源ＩＣ１８２は１．１［Ｖ］の電圧を制御ＩＣ１８１に供給する。
【００３０】
図５は、制御ＩＣ１８１に１．２［Ｖ］の電圧を供給しているときにケーブルＣを流れる通信信号の波形とリミット線を示した図であり、３１及び３２はリミット線、３３は信号減衰量が基準減衰量内のケーブルを用いたときの通信信号、３４は信号減衰量が基準減衰量以上のケーブルを使用したときの通信信号を示した図である。リミット線とは、通信の可否を決定する限界レベルであり、通信信号がリミット線３２より外側、又はリミット線３１より内側にかかっていると通信が正常に行われず、通信エラーとなる。
【００３１】
信号減衰量が基準減衰量内のケーブルを用いたときの信号３３は、リミット線３１及び３２にかかっていないため、品質の良い波形であり、画像形成装置１とパソコン９の間で正常に通信が行われる状態であることを示している。
【００３２】
一方、信号減衰量が基準減衰量以上のケーブルを用いたときの信号３４は、リミット線３１にかかっているため、品質の悪い波形であることが言える。従って、画像形成装置１とパソコン９の間で正常に通信が行われない可能性が高い。
【００３３】
そこで、信号減衰量が基準減衰量以上の場合、電源ＩＣ１８２は、制御ＩＣ１８１の駆動電圧より若干低い１．１［Ｖ］の電圧を供給して、リミット線３１及び３２のレベルを低くする。図６は、制御ＩＣ１８１に１．１［Ｖ］の電圧を供給しているときの信号波形とリミット線を示した図である。供給電圧を下げることによって、リミット線３２の上限値と下限値の間の幅は狭くなるが、リミット線３１の範囲が小さくなるため、信号３４はリミット線３１にかからなくなる。従って、信号減衰量が基準減衰量以上であっても、正常に通信を行うことができる。
【００３４】
図７は、制御ＩＣ１８１への供給電圧の決定までの流れを示したフローチャートである。ユーザが予め定められた入力操作部１７のハードキー又は表示パネル１７１に表示された設定ボタン等を押下すると、制御部１１は、接続情報入力画面２を表示パネル１７１に表示させる（ステップＳ１１）。そして、ユーザによってケーブルＣとパソコン９の種類の選択入力がなされて、ＯＫボタン２３が押下されたら（ステップＳ１２；ＯＫボタン）、信号減衰量決定部１１１は、接続情報入力画面２を介して選択されたケーブルＣとパソコン９の種類に対応した信号減衰量をケーブル信号減衰量データテーブル１２１ａ及びパソコン信号減衰量データテーブル１２１ｂからそれぞれ読み出し（ステップＳ１３）、読み出した信号減衰量を用いて画像形成装置１とパソコン９の間の信号減衰量を決定する（ステップＳ１４）。
【００３５】
そして、制御部１１は、信号減衰量決定部１１１が決定した信号減衰量と基準減衰量とを比較する（ステップＳ１５）。信号減衰量が基準減衰量より低い場合（ステップＳ１５；ＹＥＳ）、制御部１１は電源ＩＣ１８２に対して制御ＩＣ１８１への供給電圧を１．２［Ｖ］とする指示信号を出力する（ステップＳ１６）。これにより、電源ＩＣ１８２は、制御ＩＣ１８１へ１．２［Ｖ］の電圧を供給する。
【００３６】
一方、信号減衰量が基準減衰量以上である場合（ステップＳ１５；ＮＯ）、制御部１１は電源ＩＣ１８２に対して制御ＩＣ１８１への供給電圧を１．１［Ｖ］とする指示信号を出力する（ステップＳ１７）。これにより、電源ＩＣ１８２は、制御ＩＣ１８１へ１．１［Ｖ］の電圧を供給する。
【００３７】
以上、説明したように、信号減衰量決定部１１１がユーザによって入力されたケーブルＣ及びパソコン９の種類に応じて信号の信号減衰量を決定し、その信号減衰量が基準減衰量以上である場合、電源ＩＣ１８２は制御ＩＣ１８１に供給する電圧を低くして、リミット線３１及び３２のレベルを下げる。これにより、信号減衰量が基準減衰量以上であるために、リミット線３１及び３２が本来のレベルであると通信信号がリミット線３１又は３２にかかってしまうような場合であっても、通信信号がリミット線３１及び３２にかからなくなる。従って、信号減衰量が基準減衰量以上であっても正常に通信を行える可能性が高くなる。つまり、画像形成装置１とパソコン９の間を繋ぐケーブルとして、規格を満たしたケーブル又は規格外の品質の悪いケーブルの何れを用いても、通信を行うことができる。
【００３８】
また、画像形成装置１の待機時、又は省エネルギーモード時に電源ＩＣ１８２は低い方の電圧を制御ＩＣ１８１に供給することによって、画像形成装置１全体の消費電力を抑えることができる。
【００３９】
尚、本実施の形態では、ケーブルＣとパソコン９の種類を接続情報入力画面２を介して選択入力することとしたが、パソコン９にケーブル長認識機能が備わっている場合、画像形成装置１はパソコン９からケーブルＣの長さ情報を及びパソコン９の種類情報を取り込んで、その情報を基に装置間の信号減衰量を決定するようにしてもよい。
【符号の説明】
【００４０】
１      画像形成装置
１１    制御部（表示制御手段）
１１１  信号減衰量決定部（決定手段）
１２    記憶部
１２１  減衰量記憶部（記憶手段）
１３    原稿読取部
１４    画像メモリ
１５    画像処理部
１６    画像形成部
１７    入力操作部（入力受付手段）
１７１  表示パネル（表示手段、入力受付手段）
１８    ネットワークＩ／Ｆ部
１８１  制御ＩＣ（通信制御手段）
１８２  電源ＩＣ（供給手段）
９      パソコン（外部装置）
Ｃ      ケーブル（通信回線）
【図１】
2010258501.tif 000003
【図２】
2010258501.tif 000004
【図３】
2010258501.tif 000005
【図４】
2010258501.tif 000006
【図５】
2010258501.tif 000007
【図６】
2010258501.tif 000008
【図７】
2010258501.tif 000009